(57)【特許請求の範囲】
【請求項１】
揮発性溶剤を含有する化粧料を保持する容器本体と蓋体とを有し、吸湿剤を前記容器本体の一部に形成した取付空間に載置し、容器空間と前記吸湿剤の取付空間とを連通する通気孔を前記化粧料の周囲に開口したことを特徴とする結露垂れ防止コンパクト容器。
【発明の詳細な説明】
【０００１】
【産業上の利用分野】
本発明は、揮発性化粧料を保持するコンパクト容器に関するものであって、特に容器本体の化粧料から揮発し、蓋体の天面に結露した水分、油分等の溶剤が化粧料の表面に落下する結露垂れを防止することができるコンパクト容器に関するものである。
【０００２】
【従来の技術】
近年、水分を始め溶剤を多く含有する化粧料が、使用感の良好さから人気を博しており、この種の化粧料が気密性を高めたコンパクト容器に保持され、商品化されるに至っている。しかし、一方で、このような化粧料は溶剤が揮発しやすく、容器内部で揮発した溶剤は蓋体天面に接触してその表面で結露し、これが化粧料の表面に無造作に落下して（結露垂れ）、化粧料の表面に結露垂れのシミを形成して大きく美観を損ねるという問題があった。
【０００３】
かかる結露垂れを防止する従来方法として、特開平７-184717 号公報に示すようなコンパクト容器が提案されている。このコンパクト容器は、吸湿剤を容器本体に保持した化粧料と蓋体との間、より具体的には蓋体の天面に取り付けており、化粧料から揮発した溶剤をこの吸湿剤が取り込んで、溶剤がコンパクト容器内で結露することを防止するものである。
【０００４】
【発明が解決しようとする課題】
かかる従来のコンパクト容器は、化粧料と蓋体との間に吸湿剤を露出させて取り付けているために、化粧料から上方へ揮発する溶剤を効率よく取り込むことができる一方、吸湿剤をシート状に形成し、蓋体の天面に取り付ているために、吸湿剤が蓋体に露出して美観を害するという問題があった。また、吸湿剤上にカバーをつける等して美観を整えることも考えられるが、蓋体が厚くなってしまい、携帯を考慮して薄くする必要のあるコンパクト容器には向かないという問題点もあった。
【０００５】
そこで、本発明の目的は、吸湿剤を蓋体の天面に露出させることなく美観を保ち、蓋体の厚みを薄く押さえることができることに加えて、吸湿性能を十分に発揮することができるコンパクト容器を提案することにある。
【０００６】
【課題を解決するための手段】
本発明は、揮発性溶剤を含有する化粧料を保持する容器本体と蓋体とを有し、吸湿剤を前記容器本体の一部に形成した取付空間に載置し、容器空間と前記吸湿剤の取付空間とを連通する通気孔を前記化粧料の周囲に開口した結露垂れ防止コンパクト容器を構成して上記課題を解決している。
【０００７】
【発明の実施の形態】
本願発明に係るコンパクト容器の実施例を図を用いて説明する。図１は第１実施例に係るコンパクト容器の一部断面斜視図、図２は第１実施例に係るコンパクト容器の側断面図である。
【０００８】
図１並びに図２に示すように、コンパクト容器Ａは、容器本体１と該容器本体１を気密に保つ蓋体２からなり、それぞれポリプロピレン等の合成樹脂により形成されている。これら容器本体１と蓋体２の一端にはヒンジ部１ａ、２ａが設けられ、この部分に回動軸３を通すことによって両者を枢着している。また、これら容器本体１と蓋体２の他端には、係合突起１ｂと係合爪２ｂが形成されており、両者は蓋体２を回動させて容器本体１に重ねた場合に係合し、コンパクト容器Ａの閉状態を維持することができる。なお、蓋体２を閉じることにより、容器本体１との間に容器空間Ｓ０が形成される。
【０００９】
容器本体１は、中央に平面四角形のくぼみ部４が形成される。このくぼみ部４は化粧料Ｋを保持する化粧皿５を嵌め込むことができる第１くぼみ部４ａと、その外側に形成される吸湿剤６を載置する第２くぼみ部４ｂ、さらに外側に形成されるリングカバー７を取り付ける第３くぼみ部４ｃとから構成される。第１のくぼみ部４ａに、化粧皿５を取り付けるとその外側面とくぼみ部４の周壁面との間には、第２くぼみ部４ｂ、第３くぼみ部４ｃの分、隙間が形成され、この隙間に吸湿剤６およびリングカバー７を嵌め込んで固定する構造となっている。
【００１０】
化粧皿５は例えばファンデーション等の化粧料Ｋが充填されて保持されている。なお、この化粧料Ｋは溶剤を多く含み、揮発性を有するものである。化粧皿５は、例えば接着剤や両面テープ等を用いて、くぼみ部４内に固定される。吸湿剤６は、湿気を吸収する材質、例えば吸水性ポリマー等の吸水性物質や湿気を吸収する多孔性物質を化粧皿５の外寸に合わせて平面四角形に形成した環状体である。
【００１１】
また、リングカバー７は断面Ｔ字状を有し、同様に平面四角形の環状枠体である。このリングカバー７は、下方に伸びた足片７ａと水平方向に伸びたフランジ片７ｂとから構成され、足片７ａを吸湿剤６の外側面とくぼみ部４の内側面との間に圧入して固定される。このとき、フランジ片７ｂは、吸湿剤６の上方を覆い、外観に吸湿剤６が現れることを防止している。
【００１２】
なお、足片７ａと化粧皿５との間に形成される空間Ｓ１が吸湿剤６の取付空間となる。また、フランジ片７ｂと化粧皿５との間で形成される空間が、容器空間Ｓ０と吸湿剤６が取り付けられた空間Ｓ１とを連通する通気孔８となる。
【００１３】
蓋体２は、その天面２ｃに環状ガスケット９を固定している。この環状ガスケット９は弾性に富むゴム材等により形成されたものであって、容器本体１のくぼみ部４に嵌着したリングカバー７と同一平面形状を有する環状体である。この環状ガスケット９は、蓋体２を閉じた際、リングカバー７のフランジ片７ｂ上面に圧着し、化粧皿５を包囲するように、容器本体１と蓋体２との間に形成される容器空間Ｓ０を気密に保つ構造となっている。
【００１４】
次に、本実施例のコンパクト容器Ａの作用を説明する。コンパクト容器Ａが気温の高い場所に置かれると、化粧料Ｋから水、油分等の溶剤が揮発する。そして、気密が保たれているコンパクト容器Ａの容器空間Ｓ０に揮発した溶剤が充満すると、揮発した溶剤は通気孔８を通して空間Ｓ１に達し吸湿剤６と接触し、吸湿剤６は、溶剤を吸収して容器空間Ｓ０内の揮発溶剤濃度を低く保つ。このため、気温が低くなるなどしてコンパクト容器Ａが冷却されても、蓋体２の天面２ｃに結露しにくく、結露垂れを防止することができる。
【００１５】
本実施例のコンパクト容器Ａでは、吸湿剤６を蓋体２ではなく、容器本体１に取り付けているために、蓋体２を厚くすることなく、全体として薄いコンパクト容器を構成することができる。特に、本実施例では、吸湿剤を環状体とし、化粧皿５の外側に外嵌させているために、吸湿剤６の厚さがコンパクト容器Ａの厚さに影響を与えることなく、薄いコンパクト容器とすることができる。
【００１６】
さらに、通気孔８が化粧皿５を全周に渡って取り囲むように連続スリット状に形成されているために、化粧皿５の表面から揮発した溶剤を吸湿剤６が効率よく吸収することができる。また、本実施例のコンパクト容器Ａでは、リングカバー７が吸湿剤６の上方を覆うために、吸湿剤６が外観に現れず、美観に優れたコンパクト容器となる。
【００１７】
なお、容器内部の揮発した溶剤の濃度が反対に低くなると、吸湿剤６が吸収された溶剤は再度放出され、容器内部の揮発溶剤濃度を所定の値に保つことができる。このため、化粧料Ｋの表面が乾燥してしまうことを防止して、常に化粧料Ｋを使用勝手の良好な状態に保つことができる。
【００１８】
本実施例では、吸湿剤６の内側面、外側面はそれぞれ化粧皿５、リングカバー７に面接させて位置決め固定しているが、例えば、吸湿剤６を化粧皿５、リングカバー７にリブや突起を設けて吸湿剤６を位置決めする構成とすれば、吸湿剤６の側面を空間Ｓ１に露出させることができ、揮発した溶剤の吸収作用に寄与する表面積を増加させて、より効率よく揮発した溶剤を吸収することができる。
【００１９】
本願発明の第２実施例を図３を用いて説明する。図３は、第２実施例にかかるコンパクト容器の側断面図である。本実施例のコンパクト容器Ｂは、蓋体２の天面２ｃに結露した水滴を排除する凹面10を形成したことを特徴とする。なお、第１実施例と同じ構成は、同一の符号を付して説明を援用する（以下の実施例においても同様）。
【００２０】
蓋体２の天面２ｃには、環状ガスケット９の内側に凹面10が形成されている。この凹面10は化粧皿５の平面形に合わせて略四角形状を有し、その中央部の、最も高くなった天頂部10ａと、最も低くなった周縁部10ｂとの間になだらかに湾曲した傾斜面10ｃが形成されている。
【００２１】
本実施例によれば、化粧料Ｋから揮発する溶剤の揮発量が多く、蓋体２の天面２ｃに結露してしまっても、結露した水滴は自重により凹面10の傾斜によってその周縁部10ｂへ流れる。そして、水滴は、凹面10で最も低い部分、すなわち周縁部10ｂに達したところで、化粧皿５の周縁部に自然落下する。
【００２２】
このように、吸湿剤６の吸湿性能を上回る速度で溶剤が揮発し、蓋体２の天面２ｃへの結露が発生しても、凹面10が結露した水滴を化粧皿５の周縁まで導いて落下させるために、化粧皿５の表面に無造作に結露垂れが発生することを防止することができ、もって、化粧皿５表面の美観を保つことができる。
【００２３】
次に、本願発明の第３実施例を図４を用いて説明する。図４は、第３実施例にかかるコンパクト容器の側断面図である。本実施例のコンパクト容器Ｃは、吸湿剤を載置する空間を化粧皿５の下側に設けたことを特徴とする。
【００２４】
図４に示すように、容器本体１のくぼみ部11は、載置すべき化粧皿５より一回り大きい外寸を有する。そして、その周縁部に複数のリブ11ａを張り出して形成することにより、載置した化粧皿５を位置決めし、かつ、リブ11ａ間に通気路Ｓ２を形成する構造となっている。
【００２５】
また、くぼみ部11の底部中央には底上げ部12が形成されており、化粧皿５を載置した場合、この底上げ部12と化粧皿５の底とを接着して化粧皿５が脱落しないように固定する。このとき、化粧皿５とくぼみ部11の底部との間には空間Ｓ３が形成され、この空間Ｓ３は前記通気路Ｓ２、さらに化粧皿５とリングカバー14との間に形成される通気孔８を介して、容器空間Ｓ０に連通する。
【００２６】
吸湿剤13は中央に開口部13ａが形成された板状体であり、この開口部13ａをくぼみ部11の底部の底上げ部12に外嵌するように、くぼみ部11上に固定している。吸湿剤13の厚さは、底上げ部12の高さより薄く、化粧皿５を載置した場合に、両者間に隙間が生じ、吸湿剤13の上面が上記した空間Ｓ３に露出する構造となっている。
【００２７】
以上のように形成された第３実施例のコンパクト容器Ｃでは、吸湿剤13をシート状としたため、容器空間Ｓ０に連通した空間Ｓ３に対する露出面積が大きくなり、揮発した溶剤をより効率良く吸収することができる。
【００２８】
本実施例でも、くぼみ部11の底面にリブや突起を設けて吸湿剤13の裏面との間に隙間を設ければ、吸湿剤13の露出面積をより大きくすることができ、さらに吸湿効率を向上させることができる。
【００２９】
なお、上記いずれの実施例においても、通気孔８を化粧皿５の周囲に連続スリット状に形成したが、通気孔８の形状はこれに限定されるものではなく、複数の小孔を形成し、また、網目状に複数の小穴を形成するなど多様な構成を選択することができる。また、コンパクト容器の形状も平面四角形に限られるものではなく、円形や楕円形等、多様な形状を選択できることは勿論である。
【００３０】
【発明の効果】
本願発明のコンパクト容器は吸湿剤を容器本体側へ載置しているために、蓋体側に吸湿剤を設ける場合に比べて、蓋体を薄く形成することができる。また、吸湿剤は、容器本体に形成した空間内に載置し、通気孔を設けることで、吸湿剤が外観に現れにくく、もって、意匠的に優れたコンパクト容器を構成することができる。
【００３１】
さらに、容器空間と吸湿剤の取付空間とを連通する通気孔を、化粧料の周囲に形成したので、確実に揮発した溶剤を吸湿剤に取り込むことができ、蓋体の天面に結露が生じることを防止することができる。
【図面の簡単な説明】
【図１】第１実施例に係るコンパクト容器の一部断面斜視図である。
【図２】第１実施例に係るコンパクト容器の側断面図である。
【図３】第２実施例に係るコンパクト容器の側断面図である。
【図４】第３実施例に係るコンパクト容器の側断面図である。
【符号の説明】
Ａ、Ｂ、Ｃ  …コンパクト容器
Ｋ          …化粧料
Ｓ０        …容器空間
Ｓ１、Ｓ３  …空間（吸湿剤の取付空間）
１          …容器本体
２          …蓋体
２ｃ        …蓋体天面
４          …くぼみ部
５          …化粧皿
６、13      …吸湿剤
７          …リングカバー
８          …通気孔
９          …環状ガスケット
【図１】
0003847890.tif 000002
【図２】
0003847890.tif 000003
【図３】
0003847890.tif 000004
【図４】
0003847890.tif 000005